(57)【要約】      （修正有）【課題】袋内に反発体を収納してなる握力強化具において、握力鍛錬使用時に反発体のズレによる反発力の不均衡が生じない握力強化具を提供する。【解決手段】高反発クッション材で、掌の幅に対応する長さ（手の幅より僅かに長い程度）の細棒状に形成した反発体１１を、３〜５本外周方向へ移動可能に筒状帯体１３で束ね、或いは袋体１２に収納した握持本体と、握持本体を掌に保持する装着バンド２とを備える。また握持本体を手に装着した際における掌の窪みに対応する位置に、所定の突起部を設ける。【選択図】図２
0003220814.tif 000002
【実用新案登録請求の範囲】
【請求項１】
高反発クッション材で、掌の幅に対応する長さの細棒状に形成した反発体を、３〜５本外周方向へ移動可能に筒状帯体で束ねてなる握持本体と、握持本体を掌に保持する装着バンドとを備えてなることを特徴とする握力強化具。
【請求項２】
握持本体を手に装着した際における掌の窪みに対応する位置に、所定の突起部を設けてなる請求項１記載の握力強化具。
【請求項３】
変形自在で反発体の軸長に対応する胴部の側面に、反発体の挿脱が可能な出入口を備えてなる袋体に、所定数の反発体を収納してなる請求項１又は２記載の握力強化具。
【請求項４】
袋体が円筒体で直径方向の圧力による変形が可能で、且つ前記変形に対して弾性反発力を生ずる構造としてなる請求項３記載の握力強化具。
【請求項５】
反発体を、立体網状構造体で形成した請求項１乃至４記載の何れかの握力強化具。
【考案の詳細な説明】
【技術分野】
【０００１】
本考案は、握力強化具に関するものである。
【背景技術】
【０００２】
握力強化具は種々の構成のものが知られているが、特にクッション材を握持することで握力強化を行うものとしては、特許文献１に、軟質弾性材（ゴム質材）で形成した外殻内に、複数の遊動体（軟質材若しくは硬質材或いは液体）を内蔵した構成の強化具が開示されている。
【０００３】
また特許文献２には、円筒状の袋体（布・皮等）内に径２ｍｍ程度の小球体（プラスチック・豆類）を収納し、袋体両端に紐環を連結した強化具が開示されている。
【先行技術文献】
【特許文献】
【０００４】
【特許文献１】登録実用新案３０１０１４４号公報。
【特許文献２】特開２０１０−２４００９９号公報。
【考案の概要】
【考案が解決しようとする課題】
【０００５】
上記した従前の袋体内に収納反発体（不定形遊動体や小球体）を内蔵して構成する握力強化具は、握持（使用時）に際して収納反発体が掌内で横移動の逃げが生じ、掌に対する反発力が不均等で効率的な握力強化は望めない。また指先での挟持（指先の筋力強化）に対しても、同様に収納反発体の移動が生じ効率的な指先強化とはならない。
【０００６】
また袋体を握持して握力強化と共に身体運動を行った場合、単に握持している器具では取り落としてしまう虞があり、また紐環を有していて手に装着する場合でも、紐環を強く手に巻着すると、握力強化運動の支障となり、弱く巻着すると運動時に落下する。
【０００７】
そこで本考案は、握力強化時に収納反発体の横移動による反発力の不均衡が生じない新規な握力強化器具を提案すると共に、合わせて装着感触を備えるものも提案する。
【課題を解決するための手段】
【０００８】
本考案の請求項１記載に係る握力強化具は、高反発クッション材で、掌の幅に対応する長さ（手の幅より僅かに長い程度）の細棒状に形成した反発体を、３〜５本外周方向へ移動可能に筒状帯体で束ねてなる握持本体と、握持本体を掌に保持する装着バンドとを備えてなることを特徴とするものである。
【０００９】
而して握持本体を掌の内側にして装着バンドで手に装着し、掌全体で握ることで握力強化を行うことができ、また反発体が扁平状態に束ねられた状態で指先での挟持を行うことで指先の挟持力強化を行うことができる。特に前記の強化運動時に反発体の移動による反発力の変化が生じないので効率的な強化運動を実現するものである。
【００１０】
また本考案の請求項２記載に係る握力強化具は、前記の握力強化具において特に、握持本体を手に装着した際における掌の窪みに対応する位置に所定（掌の窪みの大きさと略一致、手に装着した際に軽い押圧感が生ずる突出高さ）の突起部を設けてなるもので、手に装着した際に突起部が掌の窪みに当接（軽い押圧による接触感を生じさせる）し、握持本体が手から離れていないことを感知すると共に、特に身体運動中に手から外れる不安感を解消する。
【００１１】
また本考案の請求項３記載に係る握力強化具は、前記の握力強化具において特に、変形自在で反発体の軸長に対応する胴部の側面に、反発体の挿脱が可能な出入口を備えてなる袋体に、所定数の反発体を収納してなるもので、反発体が袋体内に収納されるので、反発体に握力が加わる使用時に、反発体の軸方向のズレを防止する。
【００１２】
また本考案の請求項４記載に係る握力強化具は、特に前記の袋体が円筒体で直径方向の圧力による変形が可能で、且つ前記変形に対して弾性反発力を生ずる構造としてなるもので、握力強化運動時や指先挟持力強化運動に、反発体の弾性クッション機能に合わせて袋体の端正反発力も寄与することになる。
【考案の効果】
【００１３】
本考案の構成は上記のとおりで、複数の棒状反発体の収束体に対して力を加える事での筋力強化を行い、前記操作時における反発体の移動による反発力の不均衡発生を防止し、また装着時に掌に突起を感じることで身体運動時の装着安心感を与えるものである。
【図面の簡単な説明】
【００１４】
【図１】本考案の実施形態の全体図。
【図２】同分解斜視図。
【図３】同使用時の反発体の位置説明図（握力強化時）。
【図４】同図（指先挟持力強化時）。
【図５】同使用状態を示す説明図（握力強化時）。
【図６】同図（指先挟持力強化時）。
【図７】同図（突起部の当接）。
【考案を実施するための形態】
【００１５】
次に本考案の実施形態について説明する。実施形態に示した握力強化具は、握持本体１と装着バンド２で構成され、握持本体１は、複数本（本実施形態では４本）の反発体１１と袋体１２と筒状帯体１３で構成される。
【００１６】
反発体１１は、ポリエステル系繊維の立体網状構造体等の高反発クッション材を芯材として合成樹脂製網筒で被覆した直径１７〜２０ｍｍ長さ１０ｃｍ程度の細棒状のものである。
【００１７】
袋体１２は、反発体１１の長さよりも十分に長い１２〜１５ｃｍの変形自在な合成樹脂製網筒１２１の両端に、前記筒網１２１より細径で反発体１１の挿脱が可能な出入口１２２を備えたものである。
【００１８】
筒状帯体１３は伸縮布地で形成されるもので、反発体１１を収納した袋体１２の外周面を包むように装着されるもので、握持本体１を手に装着した際の掌Ａ側に、掌Ａの窪みＢの大きさと略一致（横幅３〜４ｃｍ、上下幅２〜３ｃｍ）し、且つ手Ｃに装着した際に軽い押圧感が生ずる突出高さ（１〜１．５ｃｍ）を備えた突起部１３１を設けてなる。
【００１９】
装着バンド２は、握持本体１の一側の両端側から突出して、握持本体１を掌Ａに当てた状態で手Ｃの甲に回して本具を手Ｃに装着する為のもので、材質、伸縮、長さ調整機能等は任意のものとすることができる。
【００２０】
而して本握力強化具は、装着バンド２を手Ｃの甲側に回し、図７に示すように突起部１３１が掌Ａの窪みＢの位置に当たるように本握力強化具を手Ｃに装着する。
【００２１】
握力強化は、図５に示すように握持本体１を掌Ａ全体で握り、強握・解除を繰り返すことで行うものであり、図３に示すように反発体１１が均等に収束した状態で行われる。
【００２２】
また指先の挟持力強化は、指先で握持本体１を挟持（親指Ｄと親指以外の指Ｅとでの挟持）し、強い挟持・解除を繰り返すことで行うものであり、図４に示すように反発体１１が扁平状態に束ねられた状態で行われる。
【００２３】
また本握力強化具は、突起部１３１が掌Ａの窪みＢに常に当接した状態となっているので、他の身体運動時においても、握持本体が手から離れていないことを感じ、身体運動中に手から外れる不安感が解消される。
【００２４】
また反発体１１の使用数、使用者の手が小さい場合は３本に、手の大きい使用者の場合は５本使用するものである。
【符号の説明】
【００２５】
１      握持本体
１１    反発体
１２    袋体
１２１    網筒
１２２    出入口
１３    筒状帯体
１３１    突起部
２    装着バンド
【図１】
0003220814.tif 000003
【図２】
0003220814.tif 000004
【図３】
0003220814.tif 000005
【図４】
0003220814.tif 000006
【図５】
0003220814.tif 000007
【図６】
0003220814.tif 000008
【図７】
0003220814.tif 000009